(57)【要約】【課題】出隅を挟んだ両側の壁面にそれぞれタイルを配置したタイル壁において、容易に且つ低コストにて構築することが可能なタイル壁を提供する。【解決手段】出隅コーナー部に、該出隅コーナー部を挟んだ両側の壁面にそれぞれ重なる２葉のベース片２１，２１と、該出隅コーナー部から各壁面と斜交方向に張り出した張出片２２とを有するガイド材２０が設置されている。タイル１９の出隅コーナー部側の側部後縁を斜めにカットして斜面１９ｄとし、この斜面１９ｄを張出片２２に対面させて出隅の両側にそれぞれタイル１９が取付施工されている。【選択図】図２
2009079365.tif 000002
【特許請求の範囲】
【請求項１】
出隅を挟んだ両側の壁面にそれぞれタイルを配置したタイル壁において、
壁面に沿うベース片と、該ベース片に連なっており、出隅コーナー部から各壁面と斜交方向に張り出す張出片とを有したガイド材が設けられ、
タイルの出隅側の側部後縁が斜めにカットされて斜面とされ、
該斜面が該張出片に対面していることを特徴とするタイル壁。
【請求項２】
請求項１において、前記ガイド材は、出隅の両側の壁面に重なるように２葉の前記ベース片を備えており、
前記張出片は、各ベース片に対し１３０〜１４０°の交叉角にて、該ベース片同士の交叉角部から延出していることを特徴とするタイル壁。
【請求項３】
請求項１において、前記ガイド材は、１葉の前記ベース片と、該ベース片の側縁に１３０〜１４０°の交叉角にて連なる前記張出片とからなることを特徴とするタイル壁。
【請求項４】
請求項１ないし３のいずれか１項において、前記壁面にタイル掛止板が設けられ、前記タイルは該タイル掛止板に掛止されていることを特徴とするタイル壁。
【発明の詳細な説明】
【技術分野】
【０００１】
本発明は、出隅を挟んだ両側の壁面にそれぞれタイルを配置したタイル壁に関する。
【背景技術】
【０００２】
出隅を挟んだ両側の壁面にそれぞれタイルを配置したタイル壁の従来例として、特開２００１−４０８５６号公報に記載のものがある。
【０００３】
同号公報では、出隅を挟んだ両側の壁面に、それぞれタイル掛止用の凸部を有するタイル掛止板が設置され、該凸部にタイル裏面の凹部を掛止させて各タイル掛止板にタイルが取付施工されている。同号公報では、出隅については、該出隅を回り込んで双方の壁面に重なるＬ字形の役物タイルが取付施工されている。
【０００４】
Ｌ字形の役物タイルの製造方法の一例が特開２００２−１４６９９９号公報に記載されている。
【０００５】
この特開２００２−１４６９９９号公報においては、長方形状のタイルを斜め４５°にカットすることにより、それぞれタイル板面に対し斜め４５°に傾斜した小口面を有する側片と主片とを製造し、これらの側片と主片との該小口面同士を接着剤で接着することにより、Ｌ字形の役物タイルとしている。
【特許文献１】特開２００１−４０８５６号公報
【特許文献２】特開２００２−１４６９９９号公報
【発明の開示】
【発明が解決しようとする課題】
【０００６】
上記特開２００１−４０８５６号公報のように、Ｌ字形の役物タイルを出隅に取付施工してタイル壁を構築する場合、この役物タイルを製造するために、斜めにカットしたタイル同士を接着剤で接着する必要があるため、手間やコストが掛かる。
【０００７】
本発明は、出隅を挟んだ両側の壁面にそれぞれタイルを配置したタイル壁において、容易に且つ低コストにて構築することが可能なタイル壁を提供することを目的とする。
【課題を解決するための手段】
【０００８】
請求項１のタイル壁は、出隅を挟んだ両側の壁面にそれぞれタイルを配置したタイル壁において、壁面に沿うベース片と、該ベース片に連なっており、出隅コーナー部から各壁面と斜交方向に張り出す張出片とを有したガイド材が設けられ、タイルの出隅側の側部後縁が斜めにカットされて斜面とされ、該斜面が該張出片に対面していることを特徴とするものである。
【０００９】
請求項２のタイル壁は、請求項１において、前記ガイド材は、出隅の両側の壁面に重なるように２葉の前記ベース片を備えており、前記張出片は、各ベース片に対し１３０〜１４０°の交叉角にて、該ベース片同士の交叉角部から延出していることを特徴とするものである。
【００１０】
請求項３のタイル壁は、請求項１において、前記ガイド材は、１葉の前記ベース片と、該ベース片の側縁に１３０〜１４０°の交叉角にて連なる前記張出片とからなることを特徴とするものである。
【００１１】
請求項４のタイル壁は、請求項１ないし３のいずれか１項において、前記壁面にタイル掛止板が設けられ、前記タイルは該タイル掛止板に掛止されていることを特徴とするものである。
【発明の効果】
【００１２】
本発明のタイル壁にあっては、出隅コーナー部に、該出隅コーナー部から各壁面と斜交方向に張り出した張出片を有するガイド材を設けている。そして、タイルの出隅コーナー部側の側部後縁を斜めにカットして斜面とし、この斜面を該張出片に対面させて出隅の両側にそれぞれタイルを配置している。これにより、Ｌ字形の役物タイルを用いることなく、出隅を挟んだ両側の壁面にタイルが連続した如き外観のタイル壁が構築される。
【００１３】
かかる本発明のタイル壁によれば、Ｌ字形の役物タイルを製造する手間やコストが掛からないので、その分、容易に且つ低コストにタイル壁を構築することが可能である。
【００１４】
なお、本発明のタイル壁にあっては、各タイルをガイド材の張出片に揃えて配置することができるので、施工が容易であると共に、仕上がりが美麗なものとなる。
【００１５】
請求項２の態様によれば、ガイド材は、出隅の両側の壁面に重なる２葉のベース片を備えているので、このガイド材を出隅コーナー部に強固に取り付けることができる。また、ガイド材の位置決めも容易である。
【００１６】
請求項３の態様によれば、ガイド材は、ベース片を１葉だけ有しているので、構成が簡易であり、且つ低コストである。
【００１７】
請求項４の態様によれば、タイルはタイル掛止板に掛止されているので、タイルを接着剤等で壁面に接着した後、この接着剤等が硬化するまでにタイルがずれることが防止される。また、地震等によってタイルが壁面から脱落することも防止ないし抑制される。
【発明を実施するための最良の形態】
【００１８】
以下に、図面を参照して本発明の実施の形態について説明する。
【００１９】
第１図は実施の形態に係るタイル壁の斜視図、第２図は第１図のII−II線に沿う断面図、第３図は第１図のIII−III線に沿う断面図、第４図はタイルの水平断面図、第５図はガイド材の斜視図、第６図はこのガイド材の長手方向と交叉方向の断面図である。
【００２０】
出隅に立設された柱１０の１対の外向きの面に沿って透湿防水シート１１が張り渡されている。この柱１０の該１対の外向きの面同士の交叉角部が出隅コーナー部となり、該透湿防水シート１１に沿って該出隅の両側の壁面が構築されている。この実施の形態では、該出隅を挟んだ両側の壁面同士は略直交方向に延在している。
【００２１】
この透湿防水シート１１の外側に、該柱１０の該１対の外向き面に重なるように縦胴縁１２，１３が重ね合わされ、釘又はビス（図示略）により各縦胴縁１２，１３が柱１０に留め付けられている。縦胴縁１２，１３同士は、出隅コーナー部においてＬ字形を呈するように突き合わされている。この実施の形態では、縦胴縁１２の出隅コーナー部側の先端部の裏面に縦胴縁１３の出隅コーナー部側の先端部の木端面が突き合わされている。
【００２２】
この出隅コーナー部にガイド材２０が設けられている。第２，５図の通り、このガイド材２０は、双方の縦胴縁１２，１３の外向き面にそれぞれ重なる２葉のベース片２１，２１と、該ベース片２１，２１の出隅コーナー部側の辺縁に連なり、該出隅コーナー部から各縦胴縁１２，１３の外向き面と斜交方向に張り出す張出片２２とを有した略Ｙ字形断面形状のものとなっている。
【００２３】
この実施の形態では、該ベース片２１，２１同士は略直交方向に延在しており、各々の出隅コーナー部側の辺縁同士が略直角に連なっている。第５図の符号２１ａは、これらのベース片２１，２１同士の交叉角部を示している。この実施の形態では、第５図の通り、張出片２２は、各ベース片２１に対し約１３５°の交叉角θ１にて、該ベース片２１，２１同士の交叉角部２１ａから延出している。
【００２４】
なお、この張出片２２と各ベース片２１との交叉角θ１は、この張出片２２と対面する、後述のタイル１９の出隅コーナー部側の側部に形成された斜面１９ｄの角度に応じて（張出片２２と該斜面１９ｄとが略平行となるように）任意に設定される。一般的には、この交叉角θ１は１３０〜１４０°であることが好ましい。この実施の形態では、後述のように、該斜面１９ｄとタイル１９の裏面の延在方向Ｌとのなす角θ２（第４図）が約４５°とされているので、この斜面１９ｄとタイル１９の裏面とにそれぞれ沿う張出片２２と各ベース片２１との交叉角θ１は、１８０°−θ２＝約１３５°に設定されている。
【００２５】
本発明においては、この張出片２２の該交叉角部２１ａからの延出長さＰは、１〜１００ｍｍ程度であって、タイル壁構築後に該張出片２２がタイル１９の表面を越えて露出しない長さであることが好ましい。即ち、この張出片２２の延出長さＰは、ガイド材２０の設置位置及びタイル１９の厚みに応じて設定されることが好ましい。
【００２６】
この実施の形態では、後述のように、各ベース片２１の外側にそれぞれタイル掛止板１４，１５が設置され、各タイル掛止板１４，１５の外面にそれぞれタイル１９が取り付けられるので、この張出片２２の延出長さＰは、各タイル掛止板１４，１５の厚みとタイル１９の厚みとを考慮して、該張出片２２が各タイル掛止板１４，１５の表面を越えてタイル１９に係合し、且つタイル壁構築後に該張出片２２がタイル１９の表面を越えて露出しない長さに設定されている。
【００２７】
なお、後述の第９〜１１図及び第１２〜１４図の各実施の形態のように、各ベース片２１がタイル掛止板１４，１５の外側に配置される場合には、各ベース片２１の外側には実質的にタイル１９のみが配置されるため、該張出片２２の延出長さＰは、このタイル１９の厚みを考慮して、タイル壁構築後に該張出片２２がタイル１９の表面を越えて露出しない長さに設定される。
【００２８】
本発明においては、この張出片２２の厚みＴ１は、０．５〜５ｍｍ、特に１〜２ｍｍ程度であることが好ましい。
【００２９】
第４図の通り、この実施の形態では、該ガイド材２０は、出隅コーナー部の上端側から下端側まで延在する長尺状のものとなっているが、本発明においては、ガイド材２０を上下方向の長さが短い短尺状のものとし、複数のガイド材２０を出隅コーナー部に沿って多段に設置するようにしてもよい。本発明においては、該ガイド材２０の上下方向の長さ（出隅コーナー部に沿う長さ）は、１０〜７０００ｍｍ、特に１０００〜３５００ｍｍであることが好ましい。一般的には、このガイド材２０の上下方向の長さは、建材の規格寸法に合わせて３０３０ｍｍとされるのが好ましい。なお、長さに余裕のある長尺状のガイド材２０を用意しておき、施工現場にて必要な長さにカットして出隅コーナー部に設置するようにしてもよい。
【００３０】
このガイド材２０の材質としては、合成樹脂やアルミ等の金属が挙げられる。この実施の形態では、合成樹脂又は金属を押し出し成形することにより、１対のベース片２１，２１と張出片２２とがＹ字形に一体成形されている。ただし、ガイド材２０の材質やベース片２１及び張出片２２の成形方法はこれに限定されない。
【００３１】
本発明においては、各ベース片２１の内向き面にそれぞれスポンジ等の軟質材が設けられてもよい。このように構成することにより、ガイド材２０が取り付けられる出隅コーナー部の表面に不陸が存在していても、この不陸を該軟質材によって吸収することができる。
【００３２】
各ベース片２１は、各縦胴縁１２，１３の外向き面に重ね合わされてビス又は釘（図示略）によって各縦胴縁１２，１３に留め付けられている。なお、各ベース片２１の縦胴縁１２，１３への固定方法はこれに限定されるものではなく、例えば接着剤や両面テープ等により各ベース片２１が縦胴縁１２，１３に貼り付けられてもよい。
【００３３】
各縦胴縁１２，１３の外側に、それぞれ、タイル壁の下地を構成するタイル掛止板１４，１５が重ね合わされ、釘又はビス（図示略）によって各タイル掛止板１４，１５が柱１０に固定されている。この釘又ビスは、各縦胴縁１２，１３を貫通して柱１０に打ち込まれている。
【００３４】
第２図に示す通り、各タイル掛止板１４，１５の出隅コーナー部側の先端部は、それぞれ、その内向き面側（各縦胴縁１２，１３側）の角縁をガイド材２０の各ベース片２１と張出片２２との交叉隅部に係合させるようにして各ベース片２１に重なっている。各タイル掛止板１４，１５の該先端部と張出片２２との間にはシーリング１６が充填されている。
【００３５】
各タイル掛止板１４，１５の外向き面には、タイル掛止用の凸部１７が突設されている。この凸部１７は、略水平方向に延在しており、複数条の凸部１７が上下方向に所定の間隔をおいて多段に配設されている。各凸部１７の延在方向の途中には、所定距離ごとに縦溝１８が形成されている。この縦溝１８は、各凸部１７の上側に雨水等が溜まるのを防止するためのものである。第３図の通り、凸部１７の上面は、タイル掛止板１４，１５の外向き面から離隔するほど上位となるように傾斜した斜面となっている。各凸部１７の出隅コーナー部側の端面は、各タイル掛止板１４，１５の該出隅コーナー部側の端面と面一状となっている。
【００３６】
タイル１９は、左右方向に長い略長方形板状のものである。このタイル１９の裏面には、凸部１７が係合可能な凹部１９ａが設けられている。この凹部１９ａは、該タイル１９の長手方向に延在しており、その両端側は、タイル１９の左右両端面に臨んでいる。第３図の通り、この凹部１９ａの上側の段差面は、タイル１９の裏面側ほど下位となるように傾斜した斜面となっている。
【００３７】
タイル１９は、この凹部１９ａを凸部１７に掛止させて各タイル掛止板１４，１５に取り付けられ、接着剤（図示略）によって各タイル掛止板１４，１５の外向き面に接着されている。
【００３８】
各凸部１７に沿って、複数個のタイル１９が水平方向に列状に、且つ上下方向に多段に設置されている。なお、この実施の形態では、各タイル１９の上縁に雄実１９ｂが設けられると共に、各タイル１９の下縁に雌実１９ｃが設けられており、下段側のタイル１９の雄実１９ｂに上段側のタイル１９の雌実１９ｃを係合させて各タイル１９が取り付けられている。
【００３９】
第２，４図の通り、最も出隅コーナー部側に配置されたタイル１９は、その該出隅コーナー部側の側部後縁が斜めにカットされて斜面１９ｄとされ、この斜面１９ｄをガイド材２０の張出片２２に突き合わされるようにして取付施工されている。
【００４０】
第４図の通り、この実施の形態では、該斜面１９ｄと、タイル１９の裏面の延在方向Ｌとのなす角θ２は、約４５°となっている。
【００４１】
本発明においては、第４図に示すように、タイル１９の出隅コーナー部側の側部前縁を該タイル１９の厚み方向に所定幅Ｔ２だけ残して側部後縁を斜めにカットすることが好ましい。この側部前縁の幅Ｔ２は、カット前のタイル１９の厚みをＴ０とした場合に、０〜３Ｔ０／４程度、特にＴ０／４〜Ｔ０／２程度であることが好ましい。
【００４２】
以上の通り、このタイル壁にあっては、出隅コーナー部に、該出隅コーナー部から該出隅の両側の壁面と斜交方向に張り出した張出片２２を有するガイド材２０が設けられると共に、タイル１９の出隅コーナー部側の側部後縁を斜めにカットして斜面１９ｄとし、この斜面１９ｄを張出片２２に対面させて出隅の両側にそれぞれタイル１９を配置している。これにより、Ｌ字形の役物タイルを用いることなく、出隅を挟んだ両側の壁面にタイル１９が連続した如き外観のタイル壁が構築されている。かかる構成のタイル壁によれば、Ｌ字形の役物タイルを製造する手間やコストが掛からないので、その分、容易に且つ低コストにタイル壁を構築することが可能である。
【００４３】
なお、このタイル壁にあっては、出隅の両側において、各タイル１９をガイド材２０の張出片２２に揃えて配置することができるので、施工が容易であると共に、仕上がりが美麗なものとなる。
【００４４】
上記の実施の形態では、合成樹脂又は金属を押し出し成形することにより、各ベース片２１と張出片２２とがＹ字形に一体成形されているが、各ベース片２１及び張出片２２の成形方法はこれに限定されない。例えば、第７図のガイド材２０Ａのように、帯板状の鋼板を折り曲げて各ベース片２１と張出片２２とを成形してもよい。
【００４５】
第７図のガイド材２０Ａは、帯板状の鋼板をその幅方向の中間付近で２つ折りし、この２つ折りの折り目から該鋼板の幅方向に所定距離（第５図の延出長さＰに相当する距離）離隔した位置から、該鋼板の両長側辺側をそれぞれ開脚状に折り広げてＹ字形としたものである。このガイド材２０Ａにおいては、該鋼板の２つ折りの折り目から開脚状の折り目までの部分が張出片２２となっており、開脚状に折り広げられた部分がそれぞれベース片２１となっている。
【００４６】
上記の各実施の形態のガイド材２０，２０Ａは、それぞれ２葉のベース片２１，２１を有しており、これらのベース片２１，２１が、それぞれ出隅を挟んだ両側の壁面に重なるため、ガイド材２０，２０Ａの出隅コーナー部への位置決めが容易であると共に、ガイド材２０，２０Ａを出隅コーナー部に強固に取り付けることができる。ただし、本発明においては、第８図のガイド材２０Ｂのように、ベース片２１が１葉だけ設けられてもよい。このガイド材２０Ｂは、構成が簡易であり、且つ低コストである。
【００４７】
上記の各実施の形態では、縦胴縁１２，１３の外側にガイド材２０，２０Ａ，２０Ｂが設けられ、該ガイド材２０，２０Ａ，２０Ｂの各ベース片２１の上に各タイル掛止板１４，１５が設置されているが、ガイド材の配置はこれに限定されない。本発明では、例えば、次の第９〜１１図及び第１２〜１４図の各実施の形態のように、タイル掛止板１４，１５の外側にガイド材が配置されてもよい。
【００４８】
第９図は、このようにタイル掛止板１４，１５の外側に配置されうるように構成されたガイド材２０Ｃの斜視図、第１０図はこのガイド材２０Ｃを用いたタイル壁の斜視図、第１１図は第１０図のXI−XI線に沿う断面図である。
【００４９】
この実施の形態のガイド材２０Ｃは、各タイル掛止板１４，１５の外側にそれぞれ配置される２葉のベース片２１，２１と、該ベース片２１，２１の出隅コーナー部側の辺縁に連なり、該出隅コーナー部から各タイル掛止板１４，１５の外面と斜交方向に張り出す張出片２２とを有している。
【００５０】
このガイド材２０Ｃにおいては、各ベース片２１に、該ベース片２１をタイル掛止板１４，１５の外面に重ねたときに該タイル掛止板１４，１５の各凸部１７が係合可能な複数の切欠部２３が形成されている。
【００５１】
即ち、この実施の形態では、該ガイド材２０Ｃは、各切欠部２３に各凸部１７を係合させて各ベース片２１が各タイル掛止板１４，１５の外面に重ね合わされ、釘又はビス等の固定手段（図示略）により各ベース片２１が各タイル掛止板１４，１５に固定されている。
【００５２】
なお、第９図の通り、この実施の形態では、各ベース片２１の幅方向における各切欠部２３の幅は該ベース片２１の幅よりも小さく、各切欠部２３の奥側の縁部は張出片２２の根元から離隔している。この切欠部２３と張出片２２との間のベース片２１の残部の幅は、タイル掛止板１４，１５の出隅コーナー部側の辺縁同士の間の間隔と同等かそれよりも小さなものとなっている。
【００５３】
このように切欠部２３と張出片２２との間にベース片２１が残っていることにより、ガイド材２０Ｃは、左右に撓みにくいものとなっている。
【００５４】
このガイド材２０Ｃの各ベース片２１の上に、タイル１９が取付施工されている。
【００５５】
この実施の形態のその他の構成は、前述の第１〜６図の実施の形態と同様であり、第９〜１１図において第１〜６図と同一符号は同一部分を示している。
【００５６】
第１３図は、タイル掛止板１４，１５の外側に配置されうるように構成された別のガイド材２０Ｄの斜視図、第１３図はこのガイド材２０Ｄを用いたタイル壁の斜視図、第１４図は第１３図のXIV−XIV線に沿う断面図である。
【００５７】
この実施の形態のガイド材２０Ｄも、各タイル掛止板１４，１５の外側に配置される２葉のベース片２１，２１と、該ベース片２１，２１の出隅コーナー部側の辺縁に連なり、該出隅コーナー部から各タイル掛止板１４，１５の外面と斜交方向に張り出す張出片２２と、各ベース片２１に形成された複数の切欠部２３を有している。
【００５８】
この実施の形態では、該ガイド材２０Ｄは、各ベース片２１が各タイル掛止板１４，１５の各凸部１７の外向き面に重ね合わされ、釘又はビス等の固定手段（図示略）により各ベース片２１が各凸部１７に固定されている。第１３図の通り、各切欠部２３は、上下に隣り合う凸部１７，１７同士の間に配置され、各切欠部２３を介して該凸部１７，１７同士の間のタイル掛止板１４，１５の外面が露呈するようになっている。
【００５９】
なお、第１２図の通り、この実施の形態では、各切欠部２３は、張出片２２の根元まで形成されている。
【００６０】
この実施の形態でも、該ガイド材２０Ｄの各ベース片２１の上に、タイル１９が取付施工されている。
【００６１】
この実施の形態のその他の構成は、前述の第１〜６図の実施の形態と同様であり、第１２〜１４図において第１〜６図と同一符号は同一部分を示している。
【００６２】
上記の実施の形態はいずれも本発明の一例を示すものであり、本発明は上記の各実施の形態に限定されない。
【図面の簡単な説明】
【００６３】
【図１】実施の形態に係るタイル壁の斜視図である。
【図２】図１のII−II線に沿う断面図である。
【図３】図１のIII−III線に沿う断面図である。
【図４】タイルの水平断面図である。
【図５】ガイド材の斜視図である。
【図６】ガイド材の長手方向と交叉方向の断面図である。
【図７】別の構成例に係るガイド材の長手方向と交叉方向の断面図である。
【図８】別の構成例に係るガイド材を用いたタイル壁の断面図である。
【図９】別の構成例に係るガイド材の斜視図である。
【図１０】図９のガイド材を用いたタイル壁の斜視図である。
【図１１】図１０のXI−XI線に沿う断面図である。
【図１２】別の構成例に係るガイド材の斜視図である。
【図１３】図１２のガイド材を用いたタイル壁の斜視図である。
【図１４】図１３のXIV−XIV線に沿う断面図である。
【符号の説明】
【００６４】
１０  柱
１２，１３  縦胴縁
１４，１５タイル掛止板
１７  凸部
１９  タイル
１９ａ  凹部
１９ｄ  斜面
２０，２０Ａ〜２０Ｄ  ガイド材
２１  ベース片
２２  張出片
２３  切欠部
【図１】
2009079365.tif 000003
【図２】
2009079365.tif 000004
【図３】
2009079365.tif 000005
【図４】
2009079365.tif 000006
【図５】
2009079365.tif 000007
【図６】
2009079365.tif 000008
【図７】
2009079365.tif 000009
【図８】
2009079365.tif 000010
【図９】
2009079365.tif 000011
【図１０】
2009079365.tif 000012
【図１１】
2009079365.tif 000013
【図１２】
2009079365.tif 000014
【図１３】
2009079365.tif 000015
【図１４】
2009079365.tif 000016